(57)【特許請求の範囲】
【請求項１】
シート搬送経路に沿ってシートを搬送する第１シート搬送回転部材と、
前記第１シート搬送回転部材よりもシート搬送方向の下流側に設けられ、前記シート搬送経路に沿ってシートを搬送する第２シート搬送回転部材と、
上部カバー部材と、前記上部カバー部材に対して空間を隔てて配置された下部カバー部材とで構成され、開閉可能な開閉カバーと、
を備え、
前記上部カバー部材と前記下部カバー部材との間の前記空間から、前記第１シート搬送回転部材の一部および前記第２シート搬送回転部材の一部が、前記下部カバー部材に形成された穴を介して前記シート搬送経路内に突出するように、前記第１シート搬送回転部材および前記第２シート搬送回転部材が配置されたシート搬送装置であって、
前記シート搬送装置は、
前記第１シート搬送回転部材に当接して該第１シート搬送回転部材に付着した異物を掻き落とす第１当接部材と、
前記第２シート搬送回転部材に当接して該第２シート搬送回転部材に付着した異物を掻き落とす第２当接部材と、
前記第１当接部材および前記第２当接部材により掻き落とされた異物を付着させるための粘着部材と、
を備え、
前記粘着部材は、前記下部カバー部材における前記空間に対向する面のうち、前記第１シート搬送回転部材と前記第２シート搬送回転部材との間に亘って設けられていることを特徴とするシート搬送装置。
【請求項２】
前記粘着部材は、
強い粘着力を有して異物を付着させる異物付着部と、
該粘着部材が設けられる前記下部カバー部材に弱い力で貼り付く貼付部と、
を備えることを特徴とする請求項１に記載のシート搬送装置。
【請求項３】
前記粘着部材は更に、前記下部カバー部材における前記空間に対向する面のうち、前記第１シート搬送回転部材よりも前記シート搬送方向上流側の領域に設けられていることを特徴とする請求項１または２に記載のシート搬送装置。
【請求項４】
前記粘着部材は更に、前記上部カバー部材における前記空間に対向する面に設けられていることを特徴とする請求項１乃至３のいずれかに記載のシート搬送装置。
【請求項５】
前記第１及び第２シート搬送回転部材は、シートを前記シート搬送経路の所定の位置へ搬送するものであり、
前記第１及び第２シート搬送回転部材により搬送されるシートが積載されるシート積載手段と、
前記第１及び第２シート搬送回転部材により前記所定の位置へ搬送されたシートを排出して積載するシート排出積載手段と、
を備えることを特徴とする請求項１乃至４のいずれかに記載のシート搬送装置。
【請求項６】
請求項５に記載のシート搬送装置と、
シートに画像を形成する画像形成手段及びシートの画像情報を読取る画像読取手段のうち少なくともいずれか一方と、
を備えることを特徴とするシート処理装置。
【請求項７】
前記所定の位置とは、前記画像読取手段がシートの画像情報を読み取る読み取り位置であることを特徴とする請求項６に記載のシート処理装置。
【発明の詳細な説明】
【０００１】
【発明の属する技術分野】
本発明は、例えば、スキャナ、複写機、プリンタ、あるいは、ファクシミリ装置などの、原稿の画像を読み取ったり、シート上に画像を形成する、シート処理装置に関し、特に、これらの装置に備えられる、シートを搬送するためのシート搬送装置に関するものである。
【０００２】
【従来の技術】
従来、この種のシート処理装置として、たとえば画像読取装置には、シートである原稿を画像読取装置に自動給紙するため、シート自動搬送装置の一例である原稿処理装置を開閉自在に備えたものがある。そして、画像読取装置においては、この原稿処理装置により自動給紙された原稿に対して露光を行って原稿の画像を読み取るようにしている。
【０００３】
ここで、この露光方法としては、プラテンガラス上に原稿処理装置により原稿を搬送した後原稿を一旦停止させ、この後、露光装置を移動させることにより露光動作を行う方法（以下固定読みという）と、露光読み取り位置で露光装置を固定すると共に、原稿をプラテンガラス上で所定の速度で移動させることにより露光動作を行う方法（以下流し読みという）とがある。
【０００４】
この流し読みは原稿停止時間を短縮できるので、原稿交換速度を速くできるという利点があり多くの製品で用いられている技術である。
【０００５】
【発明が解決しようとする課題】
しかしながら、上記のような従来技術の場合には、下記のような問題が生じていた。
【０００６】
原稿を搬送中に原稿の画像面とガイドの摺擦によりトナー紛や紙紛などのゴミが生じる。このゴミが搬送ローラ対Ｒに付着すると従動コロにゴミが溜まっていき、溜まったゴミは原稿との摺擦により再び搬送パス内に落ちて原稿と一緒に搬送されていくことがある。
【０００７】
また、上記のゴミ付着を防止する為に従動コロにスクレーパを設ける方法が知られているが、スクレーパは従動コロ表面の清掃効果はあるが、スクレーパにより掻き落とされてその近傍に溜まったゴミは、原稿処理装置の開閉動作や開閉カバーの開閉動作のショックで再び搬送パス内に落ちて原稿と一緒に搬送されていくことがある。
【０００８】
これらのゴミが流し読みを行う画像読取装置の読み取り部に搬送され、プラテンガラスの読み取り位置上にゴミが滞留あるいは付着した場合、流し読みを行う画像読取装置では露光装置が固定されているため、その位置に線があると認識され出力された画像の原稿搬送方向にスジが発生してしまうという問題が生じる。
【０００９】
本発明は上記の従来技術の課題を解決するためになされたもので、その目的とするところは、異物による画像品質の低下やシートの汚れを防止することが可能な高品質のシート搬送装置及びシート処理装置を提供することにある。
【００１０】
【課題を解決するための手段】
上記目的を達成するために本発明にあっては、
シート搬送経路に沿ってシートを搬送する第１シート搬送回転部材と、
前記第１シート搬送回転部材よりもシート搬送方向の下流側に設けられ、前記シート搬送経路に沿ってシートを搬送する第２シート搬送回転部材と、
上部カバー部材と、前記上部カバー部材に対して空間を隔てて配置された下部カバー部材とで構成され、開閉可能な開閉カバーと、
を備え、
前記上部カバー部材と前記下部カバー部材との間の前記空間から、前記第１シート搬送回転部材の一部および前記第２シート搬送回転部材の一部が、前記下部カバー部材に形成された穴を介して前記シート搬送経路内に突出するように、前記第１シート搬送回転部材および前記第２シート搬送回転部材が配置されたシート搬送装置であって、
前記シート搬送装置は、
前記第１シート搬送回転部材に当接して該第１シート搬送回転部材に付着した異物を掻き落とす第１当接部材と、
前記第２シート搬送回転部材に当接して該第２シート搬送回転部材に付着した異物を掻き落とす第２当接部材と、
前記第１当接部材および前記第２当接部材により掻き落とされた異物を付着させるための粘着部材と、
を備え、
前記粘着部材は、前記下部カバー部材における前記空間に対向する面のうち、前記第１シート搬送回転部材と前記第２シート搬送回転部材との間に亘って設けられていることを特徴とする。
【００１４】
前記粘着部材は、強い粘着力を有して異物を付着させる異物付着部と、該粘着部材が設けられる下部カバー部材に弱い力で貼り付く貼付部と、を備えることも好適である。
前記粘着部材は更に、前記下部カバー部材における前記空間に対向する面のうち、前記第１シート搬送回転部材よりも前記シート搬送方向上流側の領域に設けられていることも好適である。
前記粘着部材は更に、前記上部カバー部材における前記空間に対向する面に設けられていることも好適である。
【００１５】
前記シート搬送回転部材は、シートを前記シート搬送経路の所定の位置まで搬送するものであり、
前記シート搬送回転部材により搬送されるシートを積載するシート積載手段と、
前記シート搬送回転部材により前記所定の位置まで搬送されたシートを排出・積載するシート排出積載手段と、
を備えることも好適である。
【００１６】
シート処理装置にあっては、上記記載のシート搬送装置と、
シートに画像を形成する画像形成手段及びシートの画像情報を読取る画像読取手段のうち少なくともいずれか一方と、
を備えることを特徴とする。
【００１７】
前記所定の位置とは、前記画像読取手段がシートの画像情報を読み取る読み取り位置であることも好適である。
【００１８】
【発明の実施の形態】
以下に図面を参照して、この発明の好適な実施の形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【００１９】
本実施の形態では、シート処理装置としての画像読取装置に備えられるシート（自動）搬送装置として原稿処理装置を例に挙げ、図１に原稿処理装置と画像読取装置の概略図を示す。
【００２０】
原稿処理装置１０１は画像読取装置１０２の上方にヒンジ部１０４を介して設置されており、画像読取装置１０２の読み取り位置（所定の位置）ｅにシートとしての原稿を搬送する。画像読取装置１０２はプラテンガラス（小）８とプラテンガラス（大）１５、及びジャンプ台１０、露光装置１０３を有し、露光装置１０３により原稿処理装置１０１から搬送された原稿の露光動作を行う。
【００２１】
次に本発明を適用したシート搬送装置としての原稿処理装置１０１の概略断面図を図２に示し、片面原稿の搬送方法を説明する。
【００２２】
原稿積載部Ａは、シート積載手段としての積載トレイ１を有し、積載トレイ１の面上に原稿を積載する。
【００２３】
原稿給紙部Ｂでは、ピックアップローラ２が積載トレイ１上に積載された原稿束を分離部（給紙ローラ３ａと摩擦分離パッド３ｂで構成される）へ引き込み、給紙ローラ３ａと摩擦分離パッド３ｂにより原稿束の最上紙を１枚ずつ分離し、シート搬送回転部材としての第１レジストローラ４ａ（従動回転部材、第１シート搬送回転部材），４ｂ（駆動回転部材）へと搬送する。
【００２４】
第１レジストローラ４ａ，４ｂは原稿先端の到着時には停止しており、給紙ローラ３ａの搬送によりループを形成して斜行補正をした後に、原稿を原稿搬送部Ｃへと搬送する。
【００２５】
原稿搬送部Ｃでは、原稿給紙部Ｂより搬送された原稿をリードローラ６（駆動回転部材、シート搬送回転部材）と第２レジローラ５（従動回転部材、第２シート搬送回転部材），リードコロＩ７，リードコロＩＩ１２によって、プラテンガラス（小）８と白色板９の間を所定の速度で原稿排紙部Ｄへと搬送していく。このとき、プラテンガラス（小）８上の読み取り位置ｅの下に露光装置１０３が固定されており露光動作を行う。
【００２６】
原稿排紙部Ｄでは、読み取り位置ｅで露光動作が行われている間はシート排出積載手段としての排反ローラ１３ａ，１３ｂは離間しているが、読み取り位置ｅを原稿後端が通過し読み取りが終了した後、排反ローラ１３ｂが上方に移動し、原稿を排反ローラ１３ａと排反ローラ１３ｂとでニップし、排紙積載部Ｅのシート排出積載手段としての排紙トレイ１４上へ裏面排出する。
【００２７】
次に、本実施の形態における両面原稿の搬送方法を説明する。
【００２８】
まず、原稿積載部Ａに積載された原稿は、原稿給紙部Ｂにより１枚ずつ分離され原稿搬送部Ｃへと搬送される。
【００２９】
原稿搬送部Ｃでは、片面時と同様にプラテンガラス（小）８と白色板９との間を所定速度で原稿排紙部Ｄへと搬送していく。この時、読み取り位置ｅの下に露光装置１０３が固定されており、１面目の露光動作が行われる。
【００３０】
原稿排紙部Ｄでは、原稿後端が排反センサＳ１を通過した後、排反ローラ１３ａ，１３ｂが逆転して反転パス２０を通過させて、排紙方向とは逆方向に位置する原稿搬送部Ｃの第２レジストローラ５へ原稿をスイッチバックして搬送する。
【００３１】
第２レジストローラ５は原稿先端の到着時には停止しており、排反ローラ１３ａ，１３ｂの駆動によりループを形成し、両面時の斜行補正を行うとともに、１面目と同様にして原稿搬送部Ｃで２面目の露光動作を行ったのち、原稿排紙部Ｄへ搬送する。
【００３２】
原稿排紙部Ｄでは、本実施の形態の原稿処理装置１０１の構成上、２面目を読み込んだ後に原稿がフェースアップの状態になり、排紙される原稿の順序が狂ってしまうため再反転を行う必要がある。
【００３３】
そのため原稿排紙部Ｄでは、排反センサＳ１を原稿後端が通過後、排反ローラ１３ａ，１３ｂが逆転し、再び原稿を原稿搬送部Ｃの方向へ搬送する。この時、原稿搬送部Ｃでは裏面排紙を行うために原稿面の反転動作しか行わないため、第２レジストローラ５は斜行補正を行わない。
【００３４】
原稿搬送部Ｃを通過した原稿は、再度原稿排紙部Ｄへ搬送され、排反ローラ１３ａ，１３ｂにニップされて排紙積載部Ｅの排紙トレイ１４上に裏面排紙される。
【００３５】
次に、本実施の形態における粘着シートの構成を図３、図４を用いて説明する。
【００３６】
本実施の形態において、課題の項の搬送ローラ対Ｒに相当するシート搬送回転部材としてのローラは、第１レジストローラ４ａ，４ｂと、第２レジストローラ５及びその対向側のリードローラ６になる。これら２つの搬送ローラ対の従動回転部材としての従動コロにあたる第１レジストローラ４ａ，第２レジストローラ５には、当接部材（第１，第２当接部材）としてのスクレーパ１８がローラの回転方向に対しカウンター方向で先端が当接するように設けられており、ローラ表面に付着したゴミ（異物）を掻き落とす構成になっている。
【００３７】
粘着部材としての粘着シート１９はこの２つの従動コロ（４ａ，５）を覆っている開閉カバー（カバー部材）下１７の裏面のうち、図４に示す様に貼り付け可能な部分を覆って貼り付けられており、スクレーパ１８で掻き落とされたゴミを開閉カバー（１６（上部カバー部材），１７（下部カバー部材））内に閉じ込める構成になっている。
【００３８】
具体的には、開閉カバー下１７の裏面に粘着シート１９ａ、開閉カバー下１７の側面に粘着シート１９ｂ、開閉カバー上１６の裏面（第１レジストローラ４ａの中央ローラの真上）に粘着シート１９ｃ、が貼られており、これにより原稿処理装置の開閉動作及び開閉カバー１６，１７の開閉動作時のショックで開閉カバー下１７のコロ穴から溜まったゴミがシート搬送経路としての搬送パス内に落下するのを防止している。また、粘着シート１９はスクレーパ１８に設けられていてもよい。
【００３９】
本実施の形態によれば、搬送ローラ対の従動コロ（４ａ，５）にスクレーパ１８を当接させ、スクレーパ１８またはスクレーパ１８近傍に粘着シート１９を設ける構成をとることにより、従動コロ（４ａ，５）を常にきれいな状態に保ち、更にスクレーパ１８で掻き落とされてカバー内に溜まったゴミが原稿処理装置１０１や開閉カバー１６，１７の開閉動作で再び搬送パス内に入りこむことを防止することができる。
【００４０】
これにより、画像読取装置１０２の読み取り位置ｅに搬送されるゴミの量を減らし、黒スジの発生を減少させると共に、低コストでありかつ簡易なメンテナンスで常に原稿処理装置内部をきれいな状態に保つ効果が得られる。
【００４１】
さらに、粘着シート１９は貼付部としての貼り付け面側の粘着力を弱く、異物付着部としてのゴミ付着面側の粘着力を強く設けられているため容易に剥がすことができ、サービスマンがメンテナンスする際の交換性を良くしている。
【００４２】
本実施の形態においては、画像読取装置１０２の読み取り位置ｅに原稿を搬送するシート搬送回転部材について説明したが、これに限らず、画像形成装置や画像読取装置などに備えられるシート搬送装置に適用することができ、シートを搬送するシート搬送回転部材に付着した異物を確実に除去することができる。
【００４３】
【発明の効果】
以上説明したように、本発明によれば、シート搬送回転部材を常にきれいな状態に保つことができ、さらに、従来のように異物がシート搬送経路内に入り込んでしまうことを防止することができるので、装置内部をきれいな状態に保つことができ、異物による画像品質の低下やシートの汚れを防止することが可能となる。
【００４４】
また、前記粘着部材は、強い粘着力を有して異物を付着させる異物付着部と、該粘着部材が設けられる配設部に弱い力で貼付く貼付部と、を備えることにより、メンテナンス時における交換性の向上を図ることができる。
【図面の簡単な説明】
【図１】本実施の形態に係る画像読取装置の概略図である。
【図２】本実施の形態に係る原稿処理装置の概略断面図である。
【図３】本実施の形態に係る粘着シートの例を示した開閉カバーの概略側面図である。
【図４】本実施の形態に係る粘着シートの例を示した開閉カバー下の概略上視図である。
【符号の説明】
１  積載トレイ
２  ピックアップローラ
３ａ  給紙ローラ
３ｂ  摩擦分離パッド
４ａ  第１レジストローラ（上）
４ｂ  第１レジストローラ（下）
５  第２レジストローラ
６  リードローラ
７  リードコロＩ
８  プラテンガラス（小）
９  白色板
１０  ジャンプ台
１１  高さ基準部材
１２  リードコロＩＩ
１３ａ  排反ローラ（上）
１３ｂ  排反ローラ（下）
１４  排紙トレイ
１５  プラテンガラス（大）
１６  開閉カバー上
１７  開閉カバー下
１８  スクレーパ
１９  粘着シート
２０  反転パス
１０１  原稿処理装置
１０２  画像読取装置
１０３  露光装置
１０４  ヒンジ部
Ａ  原稿積載部
Ｂ  原稿給紙部
Ｃ  原稿搬送部
Ｄ  原稿排紙部
Ｅ  排紙積載部
Ｓ１  排反センサ
【図１】
0004366006.tif 000002
【図２】
0004366006.tif 000003
【図３】
0004366006.tif 000004
【図４】
0004366006.tif 000005